(57)【要約】【課題】アナログ放送信号およびデジタル放送信号を受信するとともに回路構成の簡易化を図ることが可能なチューナを提供する。【解決手段】チューナ１００は、受信信号を増幅する高周波増幅回路１０〜１２と、局部発振信号を出力する局部発振回路１９〜２１と、外部からの制御信号に基づいて局部発振信号の周波数を制御し、かつ制御信号に基づいて、アナログ放送信号およびデジタル放送信号のいずれを受信するのかを表わす切り替え信号を出力するＰＬＬ制御回路５２と、局部発振信号に基づいて、増幅後の受信信号をＩＦ信号に周波数変換する第１のミキサ回路１６〜１８と、周波数変換されたＩＦ信号のレベルを検出し、検出結果とＰＬＬ制御回路５２から受けた切り替え信号とに基づいてＡＧＣ信号を出力する検波回路２７と、高周波増幅回路１０〜１２は、検波回路２７から受けたＡＧＣ信号に基づいて受信信号を増幅する。【選択図】図１
2008147933.tif 000002
【特許請求の範囲】
【請求項１】
アナログ放送信号およびデジタル放送信号を受信するチューナであって、
前記アナログ放送信号および前記デジタル放送信号を受信して受信信号を出力する受信部と、
前記受信信号を増幅する高周波増幅回路と、
第１の局部発振信号を出力する第１の局部発振回路と、
外部からの制御信号に基づいて前記第１の局部発振信号の周波数を制御し、かつ前記制御信号に基づいて、前記チューナがアナログ放送信号およびデジタル放送信号のいずれを受信するのかを表わすアナログ／デジタル切り替え信号を出力するＰＬＬ制御回路と、
前記増幅された受信信号と前記第１の局部発振信号とを乗算することにより、前記増幅された受信信号をＩＦ信号に周波数変換する第１のミキサ回路と、
前記周波数変換されたＩＦ信号をデジタル放送用のＩＦ信号として外部へ出力するための第１の外部端子と、
前記周波数変換されたＩＦ信号のレベルを検出し、前記検出結果と、前記ＰＬＬ制御回路から受けた前記アナログ／デジタル切り替え信号とに基づいて第１のＡＧＣ信号を出力する検波回路と、
前記周波数変換されたＩＦ信号を復調して前記アナログ放送信号に対応する信号を生成するアナログ放送用復調回路とを備え、
前記高周波増幅回路は、前記検波回路から受けた第１のＡＧＣ信号に基づいて前記受信信号を増幅するチューナ。
【請求項２】
前記チューナは、さらに、
前記アナログ／デジタル切り替え信号に基づいて、前記アナログ放送用復調回路に電力を供給するか否かを切り替える電力切り替え回路を備える請求項１記載のチューナ。
【請求項３】
前記チューナは、さらに、
前記アナログ／デジタル切り替え信号に基づいて、前記周波数変換されたＩＦ信号を前記外部端子へ出力するか、あるいは前記アナログ放送用復調回路へ出力するかを切り替える切り替え回路を備える請求項１記載のチューナ。
【請求項４】
前記アナログ放送用復調回路は、前記アナログ／デジタル切り替え信号に基づいて、前記第１のミキサ回路から受けたＩＦ信号を増幅して出力するか、前記第１のミキサ回路から受けたＩＦ信号の出力を停止するかを切り替えるＩＦ増幅回路を含む請求項１記載のチューナ。
【請求項５】
前記アナログ放送用復調回路は、
第２の局部発振信号を出力する第２の局部発振回路と、
前記第２の局部発振回路から前記第２の局部発振信号を受けて前記第１のミキサ回路からのＩＦ信号を周波数変換する第２のミキサ回路、または前記第２の局部発振回路から前記第２の局部発振信号を受けて前記第１のミキサ回路からのＩＦ信号を復調する検波回路とを含み、
前記第２の局部発振回路は、前記アナログ／デジタル切り替え信号に基づいて、前記第２の局部発振信号を出力するか否かを切り替える請求項１記載のチューナ。
【請求項６】
前記アナログ放送用復調回路は、
前記第１のミキサ回路から受けたＩＦ信号を増幅する第１のＩＦ増幅回路および第２のＩＦ増幅回路と、
前記第１のＩＦ増幅回路から受けたＩＦ信号を周波数変換する第２のミキサ回路と、
前記第２のミキサ回路から受けた信号から音声ＩＦ信号の周波数帯域外の周波数成分を減衰させる音声フィルタと、
前記第２のＩＦ増幅回路から受けたＩＦ信号を復調してビデオ信号を出力する検波回路と、
前記検波回路から受けたビデオ信号のうち、前記音声ＩＦ信号の周波数帯域の周波数成分を減衰させる音声トラップとを含む請求項１記載のチューナ。
【請求項７】
前記アナログ放送用復調回路は、
前記第１のミキサ回路から受けたＩＦ信号を増幅するＩＦ増幅回路と、
前記ＩＦ増幅回路から受けたＩＦ信号を復調する検波回路と、
２個のコンデンサおよび１個のコイルを含み、前記復調後の信号のうち、音声ＩＦ信号の周波数より大きい周波数成分を減衰させるハイパスフィルタと、
前記ハイパスフィルタを通過した信号のうち、前記音声ＩＦ信号の周波数帯域外の周波数成分を減衰させる音声フィルタと、
前記復調後の信号のうち、前記音声ＩＦ信号の周波数帯域の周波数成分を減衰させる音声トラップと、
前記音声トラップを通過した信号を増幅するビデオ信号増幅回路とを含む請求項１記載のチューナ。
【請求項８】
前記チューナは、さらに、
第２のＡＧＣ信号を外部から受けるための第２の外部端子と、
ディスクリート部品で構成され、前記ミキサ回路から受けたＩＦ信号を前記第２のＡＧＣ信号に基づいて増幅し、前記増幅したＩＦ信号を前記第１の外部端子へ出力する第３のＩＦ増幅回路とを備える請求項１記載のチューナ。
【発明の詳細な説明】
【技術分野】
【０００１】
本発明は、チューナに関し、特にアナログ放送信号およびデジタル放送信号を受信するチューナに関する。
【背景技術】
【０００２】
アナログのテレビジョン放送が開始されて５０年が経過し、テレビの保有世帯が２０００万世帯から３０００万世帯となっている。日本ではようやく２００３年にデジタル地上波放送が開始され、２０１１年にはアナログ放送が停止されることになっている。このため、アナログ放送の信号のみならずデジタル地上波放送の信号を受信することができるチューナが要求されている。ケーブルテレビおよびＢＳ(Broadcasting Satellite)放送ではすでにデジタル方式に切り替えられている。このような放送波数の増大に対応して、テレビジョン信号受信用チューナは、妨害波の除去性能の向上がますます要求されている。
【０００３】
テレビジョン信号受信用チューナは、たとえば米国向けのチューナでは、４７０〜８６０ＭＨｚを受信するＵＨＦ（Ultra High Frequency）バンドと、１７０〜４７０ＭＨｚを受信するＶＨＦ（Very High Frequency）ハイバンドと、５４〜１７０ＭＨｚを受信するＶＨＦローバンドとに分割され、バンドごとに受信回路を有する。ただし、バンドがどのように分割されるかは仕向け地により異なり、特に規定されていない。従来のテレビジョン信号受信用チューナでは、一般に、シングルコンバージョン方式（スーパーヘテロダイン方式）が用いられる。
【０００４】
ここで、シングルコンバージョン方式（スーパーヘテロダイン方式）とは、無線通信の受信機において、受信した高周波信号と局部発振信号とを乗算することにより、高周波信号を、高周波信号および局部発振信号の周波数の差である中間周波数（ＩＦ（Intermediate Frequency）周波数）に周波数変換し、ＩＦ信号を増幅したあとに復調等の受信処理を行なう方式である。
【０００５】
たとえば、特許文献１には、以下のようなチューナ（受信機）が開示されている。すなわち、第１の電子チューナ部と第２の電子チューナ部とから成り、第１の電子チューナ部は、高周波信号が入力される入力端子と、この入力端子に共通端子が接続されるとともに２つの分配出力を有する分配器と、この分配器の一方の出力が供給される第１の高周波増幅回路と、この第１の高周波増幅回路の出力が一方の入力に供給されるとともに他方の入力には第１の局部発振回路の出力が供給される第１の混合回路と、この第１の混合回路の出力が供給される第１の中間周波数増幅回路と、この第１の中間周波数増幅回路の出力が供給される第１の中間周波数の出力端子と、第１の局部発振回路にループ接続された第１のＰＬＬ回路と、分配器の他方の出力が供給される高周波信号の出力とから成り、第２の電子チューナ部は、高周波信号が入力される入力と、この入力された信号が供給される第２の高周波増幅回路と、この第２の高周波増幅回路の出力が一方の入力に供給されるとともに他方の入力には第２の局部発振回路の出力が供給される第２の混合回路と、この第２の混合回路の出力が供給される第２の中間周波数増幅回路と、この第２の中間周波数増幅回路の出力が供給される第２の中間周波数の出力端子と、第２の局部発振回路にループ接続された第２のＰＬＬ回路から成る。
【特許文献１】特許第３６９５１３９号公報
【発明の開示】
【発明が解決しようとする課題】
【０００６】
ところで、チューナが受信する無線信号のレベルは無線信号の伝搬環境に応じて変動するため、一般的に、チューナは、受信信号のレベルを調整するためのＡＧＣ回路を備える。しかしながら、アナログ放送信号およびデジタル放送信号の両方を受信する場合、従来のチューナでは、アナログ放送信号用の回路およびデジタル放送信号用の回路において最適な信号レベルが異なるため、アナログ放送信号用の回路およびデジタル放送信号用の回路に対応するＡＧＣ回路をそれぞれ備える必要があり、回路構成が複雑化するという問題点があった。
【０００７】
それゆえに、本発明の目的は、アナログ放送信号およびデジタル放送信号を受信するとともに回路構成の簡易化を図ることが可能なチューナを提供することである。
【課題を解決するための手段】
【０００８】
上記課題を解決するために、この発明のある局面に係わるチューナは、アナログ放送信号およびデジタル放送信号を受信するチューナであって、アナログ放送信号およびデジタル放送信号を受信して受信信号を出力する受信部と、受信信号を増幅する高周波増幅回路と、第１の局部発振信号を出力する第１の局部発振回路と、外部からの制御信号に基づいて第１の局部発振信号の周波数を制御し、かつ制御信号に基づいて、チューナがアナログ放送信号およびデジタル放送信号のいずれを受信するのかを表わすアナログ／デジタル切り替え信号を出力するＰＬＬ制御回路と、増幅された受信信号と第１の局部発振信号とを乗算することにより、増幅された受信信号をＩＦ信号に周波数変換する第１のミキサ回路と、周波数変換されたＩＦ信号をデジタル放送用のＩＦ信号として外部へ出力するための第１の外部端子と、周波数変換されたＩＦ信号のレベルを検出し、検出結果と、ＰＬＬ制御回路から受けたアナログ／デジタル切り替え信号とに基づいて第１のＡＧＣ信号を出力する検波回路と、周波数変換されたＩＦ信号を復調してアナログ放送信号に対応する信号を生成するアナログ放送用復調回路とを備え、高周波増幅回路は、検波回路から受けた第１のＡＧＣ信号に基づいて受信信号を増幅する。
【０００９】
好ましくは、チューナは、さらに、アナログ／デジタル切り替え信号に基づいて、アナログ放送用復調回路に電力を供給するか否かを切り替える電力切り替え回路を備える。
【００１０】
好ましくは、チューナは、さらに、アナログ／デジタル切り替え信号に基づいて、周波数変換されたＩＦ信号を外部端子へ出力するか、あるいはアナログ放送用復調回路へ出力するかを切り替える切り替え回路を備える。
【００１１】
好ましくは、アナログ放送用復調回路は、アナログ／デジタル切り替え信号に基づいて、第１のミキサ回路から受けたＩＦ信号を増幅して出力するか、第１のミキサ回路から受けたＩＦ信号の出力を停止するかを切り替えるＩＦ増幅回路を含む。
【００１２】
好ましくは、アナログ放送用復調回路は、第２の局部発振信号を出力する第２の局部発振回路と、第２の局部発振回路から第２の局部発振信号を受けて第１のミキサ回路からのＩＦ信号を周波数変換する第２のミキサ回路、または第２の局部発振回路から第２の局部発振信号を受けて第１のミキサ回路からのＩＦ信号を復調する検波回路とを含み、第２の局部発振回路は、アナログ／デジタル切り替え信号に基づいて、第２の局部発振信号を出力するか否かを切り替える。
【００１３】
好ましくは、アナログ放送用復調回路は、第１のミキサ回路から受けたＩＦ信号を増幅する第１のＩＦ増幅回路および第２のＩＦ増幅回路と、第１のＩＦ増幅回路から受けたＩＦ信号を周波数変換する第２のミキサ回路と、第２のミキサ回路から受けた信号から音声ＩＦ信号の周波数帯域外の周波数成分を減衰させる音声フィルタと、第２のＩＦ増幅回路から受けたＩＦ信号を復調してビデオ信号を出力する検波回路と、検波回路から受けたビデオ信号のうち、音声ＩＦ信号の周波数帯域の周波数成分を減衰させる音声トラップとを含む。
【００１４】
好ましくは、アナログ放送用復調回路は、第１のミキサ回路から受けたＩＦ信号を増幅するＩＦ増幅回路と、ＩＦ増幅回路から受けたＩＦ信号を復調する検波回路と、２個のコンデンサおよび１個のコイルを含み、復調後の信号のうち、音声ＩＦ信号の周波数より大きい周波数成分を減衰させるハイパスフィルタと、ハイパスフィルタを通過した信号のうち、音声ＩＦ信号の周波数帯域外の周波数成分を減衰させる音声フィルタと、復調後の信号のうち、音声ＩＦ信号の周波数帯域の周波数成分を減衰させる音声トラップと、音声トラップを通過した信号を増幅するビデオ信号増幅回路とを含む。
【００１５】
好ましくは、チューナは、さらに、第２のＡＧＣ信号を外部から受けるための第２の外部端子と、ディスクリート部品で構成され、ミキサ回路から受けたＩＦ信号を第２のＡＧＣ信号に基づいて増幅し、増幅したＩＦ信号を第１の外部端子へ出力する第３のＩＦ増幅回路とを備える。
【発明の効果】
【００１６】
本発明によれば、アナログ放送信号およびデジタル放送信号を受信するとともに回路構成の簡易化を図ることができる。
【発明を実施するための最良の形態】
【００１７】
以下、この発明の実施の形態について図面を参照して詳しく説明する。なお、図中同一符号は同一または相当部分を示す。
【００１８】
図１は、本発明の実施の形態に係るシングルコンバージョン方式のチューナの構成を示す機能ブロック図である。
【００１９】
図１を参照して、チューナ１００は、入力端子（受信部）１と、ハイパスフィルタ（ＩＦフィルタ）２と、広帯域増幅回路３と、入力信号分波回路４と、高周波増幅入力同調回路７〜９と、高周波増幅回路１０〜１２と、高周波増幅出力同調回路１３〜１５と、混合回路（第１のミキサ回路）１６〜１８と、局部発振回路（第１の局部発振回路）１９〜２１と、中間周波増幅回路２２と、デジタルＳＡＷ（Surface Acoustic Wave）フィルタ２３と、デジタル放送用中間周波増幅回路（第３のＩＦ増幅回路）２４と、ＩＦ信号出力端子（第１の外部端子）２５と、ＡＭ（Amplitude Modulation）検波回路２７と、ＩＦＡＧＣ端子（第２の外部端子）２８と、ＡＧＣ（Automatic Gain Control）モニタ端子２９と、アナログ放送用復調回路３０と、ＩＦ信号切り替え回路３１と、アナログＳＡＷフィルタ３２と、ＡＶ出力端子３３と、電力切り替え回路３５と、電源供給端子Ｂと、デフィート回路３４と、減衰回路３７と、バイアス切り替え回路３８と、デジタル放送用復調回路３９と、ＰＬＬ（Phase Locked Loop）制御回路５２とを備える。なお、デジタル放送用復調回路３９は、チューナ１００の外部に配置されていてもよい。
【００２０】
混合回路（ミキサ）１６〜１８と、局部発振回路１９〜２１と、中間周波増幅回路２２と、ＰＬＬ制御回路５２とは、ＭＯＰ集積回路２６に含まれる。
【００２１】
ハイパスフィルタ２は、５ＭＨｚから４６ＭＨｚを減衰域とし、ＶＨＦローバンドの最低周波数である５４ＭＨｚ以上を通過域とするハイパスフィルタである。ハイパスフィルタ２は、入力端子１において受信した地上波放送のテレビジョン信号（放送信号）のうち、５ＭＨｚから４６ＭＨｚの周波数成分を減衰させる。
【００２２】
広帯域増幅回路３は、ハイパスフィルタ２を通過した放送信号のうち、たとえば５４ＭＨｚ〜８６０ＭＨｚの周波数成分を増幅して出力する。
【００２３】
入力信号分波回路４は、広帯域増幅回路３から受けた放送信号を、周波数バンドごとに分波する。すなわち、入力信号分波回路４は、広帯域増幅回路３から受けた放送信号のうち、ＵＨＦバンドに対応する放送信号（以下、ＵＨＦ信号とも称する。）を高周波増幅入力同調回路７に出力し、ＶＨＦハイバンドに対応する放送信号（以下、ＶＨＦハイ信号とも称する。）を高周波増幅入力同調回路８に出力し、ＶＨＦローバンド（以下、ＶＨＦロー信号とも称する。）に対応する放送信号を高周波増幅入力同調回路９に出力する。
【００２４】
高周波増幅入力同調回路７は、図示しない選局信号に基づいて特定のチャネルの周波数を選択し、入力信号分波回路４から受けたＵＨＦ信号を同調して出力する。ここで、同調とは、ある特定の周波数の成分をもつ信号を共振により増幅させることをいい、その周波数以外の成分を相対的に減衰させる効果を有する。
【００２５】
高周波増幅入力同調回路８は、図示しない選局信号に基づいて特定のチャネルの周波数を選択し、入力信号分波回路４から受けたＶＨＦハイ信号を同調して出力する。
【００２６】
高周波増幅入力同調回路９は、図示しない選局信号に基づいて特定のチャネルの周波数を選択し、入力信号分波回路４から受けたＶＨＦロー信号を同調して出力する。
【００２７】
高周波増幅回路１０〜１２は、ＡＭ検波回路２７から受けたＡＧＣ信号（第１のＡＧＣ信号）に基づいて、入力信号分波回路４から受けたＵＨＦ信号、ＶＨＦハイ信号およびＶＨＦロー信号をそれぞれ増幅する。
【００２８】
高周波増幅出力同調回路１３〜１５は、図示しない選局信号に基づいて特定のチャネルの周波数を選択し、高周波増幅回路１０〜１２から受けたＵＨＦ信号、ＶＨＦハイ信号およびＶＨＦロー信号をそれぞれ同調する。
【００２９】
ＰＬＬ制御回路５２は、Ｉ２Ｃ(Inter Integrated Circuit)バスのデータ線ＳＤＡおよびクロック線ＳＣＬから受けた制御信号に含まれるチャンネルデータに基づいて、局部発振回路１９〜２１が出力する局部発振信号（第１の局部発振信号）の周波数を制御する。局部発振回路１９〜２１は、局部発振信号をミキサ回路１６〜１８およびＰＬＬ制御回路５２へ出力する。ミキサ回路１６〜１８は、局部発振回路１９〜２１から局部発振信号を受けて、高周波増幅出力同調回路１３〜１５から受けたＵＨＦ信号、ＶＨＦハイ信号およびＶＨＦロー信号をそれぞれＩＦ信号に周波数変換する。
【００３０】
また、ＰＬＬ制御回路５２は、Ｉ２Ｃバスのデータ線ＳＤＡおよびクロック線ＳＣＬから受けた制御信号であるチャンネルデータに基づいて、チューナ１００がアナログ放送信号およびデジタル放送信号のいずれを受信するのかを表わすアナログ／デジタル切り替え信号ＡＤをＡＭ検波回路２７、ＩＦ信号切り替え回路３１、電力切り替え回路３５、デフィート回路３４およびバイアス切り替え回路３８へ出力する。たとえば、ＰＬＬ制御回路５２は、チューナ１００がアナログ放送信号を受信する場合にはアナログ／デジタル切り替え信号ＡＤをＬレベルとし、チューナ１００がデジタル放送信号を受信する場合にはアナログ／デジタル切り替え信号ＡＤをＨレベルとする。
【００３１】
中間周波増幅回路２２は、ミキサ回路１６〜１８から受けたＩＦ信号を増幅してＡＭ検波回路２７およびＩＦ信号切り替え回路３１へ出力する。
【００３２】
ＩＦ信号切り替え回路３１は、ＰＬＬ制御回路５２から受けたアナログ／デジタル切り替え信号ＡＤに基づいて、中間周波増幅回路２２から受けたＩＦ信号をアナログ放送用復調回路３０へ出力するか、あるいはＩＦ信号出力端子２５へ出力するか否かを切り替える。より詳細には、ＩＦ信号切り替え回路３１は、チューナ１００がアナログ放送信号を受信する場合には中間周波増幅回路２２から受けたＩＦ信号を減衰回路３７に出力し、チューナ１００がデジタル放送信号を受信する場合には中間周波増幅回路２２から受けたＩＦ信号をデジタルＳＡＷフィルタ２３に出力する。
【００３３】
減衰回路３７は、ＩＦ信号切り替え回路３１から受けたＩＦ信号を減衰させてアナログＳＡＷフィルタ３２へ出力する。
【００３４】
アナログＳＡＷフィルタ３２はバンドパスフィルタであり、減衰回路３７を通過したＩＦ信号のうち、所定の周波数帯域外の周波数成分を減衰させる。
【００３５】
アナログ放送用復調回路３０は、アナログＳＡＷフィルタ３２を通過したＩＦ信号を復調して音声ＩＦ信号およびビデオ信号を生成し、ＡＶ出力端子３３から外部へ出力する。
【００３６】
ＡＭ検波回路２７は、中間周波増幅回路２２から受けたＩＦ信号のレベルを検出し、検出結果をＡＧＣ信号（第１のＡＧＣ信号）として高周波増幅回路１０〜１２に出力する。たとえば、ＡＭ検波回路２７は、ＩＦ信号切り替え回路３１から受けたＩＦ信号を直流電圧に変換し、変換した直流電圧をＡＧＣ信号として高周波増幅回路１０〜１２に出力する。また、ＡＭ検波回路２７は、ＰＬＬ制御回路５２から受けたアナログ／デジタル切り替え信号ＡＤに基づいて、ＡＧＣ信号の直流電圧レベルをさらに変更する。すなわち、ＡＭ検波回路２７は、ＩＦ信号のレベル検出結果、およびチューナ１００が受信する放送信号の種類に基づいてＡＧＣ信号を出力する。
【００３７】
デジタルＳＡＷフィルタ２３はバンドパスフィルタであり、ＩＦ信号切り替え回路３１から受けたＩＦ信号のうち、所定の周波数帯域外の周波数成分を減衰させる。
【００３８】
デジタル放送用中間周波増幅回路２４は、ＡＧＣ回路を含む。ＡＧＣ回路は、ＩＦＡＧＣ端子２８を介してたとえばデジタル放送用復調回路３９から受けたＩＦＡＧＣ信号（第２のＡＧＣ信号）に基づいて、デジタルＳＡＷフィルタ２３を通過したＩＦ信号をデジタル放送用復調回路３９に適した入力レベルに増幅し、ＩＦ信号出力端子２５を介してデジタル放送用復調回路３９へ出力する。
【００３９】
電力切り替え回路３５は、ＰＬＬ制御回路５２から受けたアナログ／デジタル切り替え信号ＡＤに基づいて、アナログ放送用復調回路３０に電力を供給するか否かを切り替える。より詳細には、電力切り替え回路３５は、チューナ１００がアナログ放送信号を受信する場合にはアナログ放送用復調回路３０に電力を供給し、デジタル放送信号を受信する場合にはアナログ放送用復調回路３０への電力供給を停止する。
【００４０】
デフィート回路３４は、ＰＬＬ制御回路５２から受けたアナログ／デジタル切り替え信号ＡＤに基づいて、アナログ放送用復調回路３０の動作を停止するか否かを切り替える。より詳細には、デフィート回路３４は、チューナ１００がアナログ放送信号を受信する場合にはアナログ放送用復調回路３０を動作させ、デジタル放送信号を受信する場合にはアナログ放送用復調回路３０の動作を停止させる。
【００４１】
図２は、電力切り替え回路３５の構成を示す回路図である。
図２を参照して、電力切り替え回路３５は、トランジスタＴＲ１およびＴＲ２と、抵抗Ｒ１およびＲ１１とを含む。
【００４２】
ＰＬＬ制御回路５２から受けたアナログ／デジタル切り替え信号ＡＤがＬレベルである場合には、トランジスタＴＲ２がオフ状態となるため、トランジスタＴＲ１はオン状態となる。この場合、電源供給端子Ｂからの電力がアナログ放送用復調回路３０に供給され、アナログ放送用復調回路３０は復調動作を行なう。
【００４３】
一方、ＰＬＬ制御回路５２から受けたアナログ／デジタル切り替え信号ＡＤがＨレベルである場合には、トランジスタＴＲ２がオン状態となるため、トランジスタＴＲ１はオフ状態となる。この場合、電源供給端子Ｂからの電力はアナログ放送用復調回路３０に供給されず、アナログ放送用復調回路３０は動作を停止する。
【００４４】
図３は、ＩＦ信号切り替え回路３１の構成を示す回路図である。
図３を参照して、ＩＦ信号切り替え回路３１は、トランジスタＴＲ３およびＴＲ４と、抵抗Ｒ２〜Ｒ５と、抵抗Ｒ１２および１３と、ダイオードＤ１およびＤ２と、コンデンサＣＤ１〜ＣＤ３とを含む。
【００４５】
ＰＬＬ制御回路５２から受けたアナログ／デジタル切り替え信号ＡＤがＬレベルである場合には、トランジスタＴＲ３がオフ状態となるためダイオードＤ２はオフ状態となり、ＭＯＰ集積回路２６からのＩＦ信号がデジタルＳＡＷフィルタ２３へ出力されなくなる。また、この場合、トランジスタＴＲ４がオン状態となるためダイオードＤ１はオン状態となり、ＭＯＰ集積回路２６からのＩＦ信号がアナログＳＡＷフィルタ３２へ出力される。
【００４６】
一方、ＰＬＬ制御回路５２から受けたアナログ／デジタル切り替え信号ＡＤがＨレベルである場合には、トランジスタＴＲ４がオフ状態となるためダイオードＤ１はオフ状態となり、ＭＯＰ集積回路２６からのＩＦ信号がアナログＳＡＷフィルタ３２へ出力されなくなる。また、この場合、トランジスタＴＲ３がオン状態となるためダイオードＤ２はオン状態となり、ＭＯＰ集積回路２６からのＩＦ信号がデジタルＳＡＷフィルタ２３へ出力される。
【００４７】
図４は、デフィート回路３４の構成を示す回路図である。
図４を参照して、デフィート回路３４は、トランジスタＴＲ５と、抵抗Ｒ１４と、コンデンサＣＥ１とを含む。
【００４８】
ＰＬＬ制御回路５２から受けたアナログ／デジタル切り替え信号ＡＤがＬレベルである場合には、トランジスタＴＲ５がオフ状態となるためアナログ放送用復調回路３０におけるＶＣＯ（第１の局部発振回路）６４は局部発振信号（第２の局部発振信号）を出力する。
【００４９】
一方、ＰＬＬ制御回路５２から受けたアナログ／デジタル切り替え信号ＡＤがＨレベルである場合には、トランジスタＴＲ５がオン状態となるためアナログ放送用復調回路３０におけるＶＣＯ６４は局部発振信号の出力を停止する。
【００５０】
なお、チューナ１００は、たとえば、電力切り替え回路３５およびＩＦ信号切り替え回路３１を備える構成、あるいはデフィート回路３４およびＩＦ信号切り替え回路３１を備える構成が好ましい。チューナ１００は、電力切り替え回路３５、ＩＦ信号切り替え回路３１およびデフィート回路３４のすべてを備える構成に限定されるものではない。
【００５１】
図５は、デジタル放送用中間周波増幅回路２４の構成を示す回路図である。
図５を参照して、デジタル放送用中間周波増幅回路２４は、抵抗Ｒ２１〜Ｒ３２と、チョークコイルＬ１〜Ｌ３と、コンデンサＣＤ１１〜ＣＤ１６と、コンデンサＣＥ１１〜ＣＥ１５と、ＩＦ増幅器Ｑ１〜Ｑ３とを含む。ＩＦ増幅器Ｑ１は、トランジスタＴＲ１１〜ＴＲ１３を含む。トランジスタＴＲ１１およびＴＲ１２は、ＡＧＣ機能を有するＭＯＳ（Metal Oxide Semiconductor）型ＦＥＴ（Field Effect Transistor）である。
【００５２】
コンデンサＣＤ１１の一端およびコンデンサＣＤ１２の一端がデジタルＳＡＷフィルタ２３に接続される。コンデンサＣＤ１１の他端が抵抗Ｒ２１の一端と、トランジスタＴＲ１１の第１端子とに接続される。コンデンサＣＤ１２の他端が抵抗Ｒ２２の一端と、トランジスタＴＲ１２の第１端子とに接続される。トランジスタＴＲ１１の第２端子およびＴＲ１２の第２端子がコンデンサＣＥ１１の一端と、抵抗Ｒ２５の一端とに接続される。トランジスタＴＲ１１の第３端子がチョークコイルＬ１の一端と、抵抗Ｒ２３の一端と、コンデンサＣＤ１３の一端とに接続される。トランジスタＴＲ１２の第３端子がチョークコイルＬ２の一端と、抵抗Ｒ２４の一端と、コンデンサＣＤ１４の一端とに接続される。抵抗Ｒ２５の他端と、コンデンサＣＥ１２の一端と、トランジスタＴＲ１３のコレクタとがＩＦＡＧＣ端子２８に接続される。トランジスタＴＲ１３のベースが抵抗Ｒ３２の一端に接続される。抵抗Ｒ３２の他端が制御端子ＣＴに接続される。
【００５３】
トランジスタＱ２のベースが抵抗Ｒ２６の一端と、コンデンサＣＤ１３の他端とに接続される。トランジスタＱ２のコレクタがチョークコイルＬ３の一端と、抵抗Ｒ３１の一端とに接続される。トランジスタＱ２のエミッタがトランジスタＱ３のエミッタと、抵抗Ｒ３０の一端とに接続される。抵抗Ｒ３１の他端がコンデンサＣＤ１５の一端に接続される。コンデンサＣＤ１５の他端がＩＦ信号出力端子２５の第１端子に接続される。トランジスタＱ３のベースが抵抗Ｒ２８の一端と、コンデンサＣＤ１４の他端とに接続される。トランジスタＱ３のコレクタがチョークコイルＬ４の一端と、抵抗Ｒ３２の一端とに接続される。抵抗Ｒ３２の他端がコンデンサＣＤ１６の一端に接続される。コンデンサＣＤ１６の他端がＩＦ信号出力端子２５の第２端子に接続される。
【００５４】
抵抗Ｒ２１の他端が抵抗Ｒ２２の他端と、抵抗Ｒ２４の他端と、チョークコイルＬ１〜Ｌ４の他端と、抵抗Ｒ２３の他端と、コンデンサＣＥ１３〜ＣＥ１５の一端と、抵抗Ｒ９の他端とが電源供給端子Ｂに接続される。トランジスタＴＲ１１の第４端子と、トランジスタＴＲ１２の第４端子と、コンデンサＣＥ１１〜１５の他端と、抵抗Ｒ２７の他端と、抵抗Ｒ３０の他端とが接地電位に接続される。
【００５５】
トランジスタＴＲ１３のコレクタがＩＦＡＧＣ端子２８に接続される。トランジスタＴＲ１３のベースが抵抗Ｒ３２の一端に接続される。ＰＬＬ制御回路５２からのアナログ／デジタル切り替え信号ＡＤが抵抗Ｒ３２の他端へ出力される。
【００５６】
トランジスタＴＲ１１およびＴＲ１２は、ＩＦＡＧＣ端子２８を介してたとえばデジタル放送用復調回路３９から受けたＩＦＡＧＣ制御信号に基づいてデジタルＳＡＷフィルタ２３を通過したＩＦ信号を増幅して出力する。トランジスタＱ２およびＱ３は、平衡型の差動増幅器であり、トランジスタＴＲ１１およびＴＲ１２から受けたＩＦ信号を増幅してデジタル放送用復調回路３９へ出力する。デジタル放送用復調回路３９は、トランジスタＴＲ１１およびＴＲ１２に対してハイインピーダンスの負荷となる。
【００５７】
抵抗Ｒ３２の他端において受けたアナログ／デジタル切り替え信号ＡＤがＬレベルである場合には、トランジスタＴＲ１３がオン状態となり、トランジスタＴＲ１１の第２端子およびトランジスタＴＲ１２の第２端子における電圧がＬレベルとなるため、トランジスタＴＲ１１およびＴＲ１２はオフ状態となる。すなわち、デジタル放送用中間周波増幅回路２４から出力されるＩＦ信号が大きく減衰される。このような構成により、チューナ１００がアナログ放送信号を受信する場合におけるデジタル放送用復調回路３９の誤動作およびノイズの発生等を防ぐことができ、チューナ１００のアナログ放送信号の受信特性が劣化することを防ぐことができる。
【００５８】
デジタル放送用中間周波増幅回路２４が半導体集積回路で構成される場合には、その特性が固定されることになるが、本発明の実施の形態に係るデジタル放送用中間周波増幅回路２４は、ディスクリート部品で構成することが可能であるため、利得および許容入力レベル等の変更が容易であり、相対的にコストを削減することができる。
【００５９】
図６は、スプリット方式のアナログ復調回路３０の構成を示す図である。
図６を参照して、アナログ復調回路３０は、半導体集積回路ＩＣ１と、音声トラップ６５と、音声フィルタ６７とを含む。半導体集積回路ＩＣ１は、ＩＦ増幅器（第１のＩＦ増幅回路および第２のＩＦ増幅回路）６１および６２と、検波回路６３と、ＶＣＯ（Voltage Control Oscillator）６４と、ビデオアンプ６６と、ＩＦ増幅器６８と、ミキサ（第２のミキサ回路）６９とを含む。
【００６０】
ＩＦ増幅器６１は、アナログＳＡＷフィルタ３２を通過したＩＦ信号を増幅してミキサ６９へ出力する。ＩＦ増幅器６２は、アナログＳＡＷフィルタ３２を通過したＩＦ信号を増幅して検波回路６３へ出力する。
【００６１】
なお、本発明の実施の形態に係るチューナでは、ＰＬＬ制御回路５２から受けたアナログ／デジタル切り替え信号ＡＤに基づいてＶＣＯ６４が局部発振信号の出力を停止するか否かを切り替える構成であるとしたが、これに限定するものではない。ＩＦ増幅器６１および６２が、ＰＬＬ制御回路５２から受けたアナログ／デジタル切り替え信号ＡＤに基づいて、アナログＳＡＷフィルタ３２を通過したＩＦ信号を増幅して出力するか、アナログＳＡＷフィルタ３２を通過したＩＦ信号の出力を停止するかを切り替える構成であってもよい。
【００６２】
ミキサ６９は、ＩＦ増幅器６１から受けたＩＦ信号とＶＣＯ６４から受けた局部発振信号とを乗算することにより、ＩＦ増幅器６１から受けたＩＦ信号を周波数変換して音声ＩＦ信号を生成し、音声フィルタ６７へ出力する。
【００６３】
音声フィルタ６７は、セラミックフィルタであり、ミキサ６９から受けた信号のうち、音声ＩＦ信号の周波数帯域外の周波数成分を減衰させる。
【００６４】
ＩＦ増幅器６８は、音声フィルタ６７を通過した音声ＩＦ信号を増幅し、増幅したビデオ信号を図示しないデジタル音声多重復調器へ出力する。
【００６５】
検波回路６３は、ＶＣＯ６４から受けた局部発振信号に基づいて、ＩＦ増幅器６１から受けたＩＦ信号からＰＬＬ復調方式を用いてビデオ信号を検波し、検波したビデオ信号を出力する。
【００６６】
音声トラップ６５は、検波回路６３から受けたビデオ信号のうち、音声ＩＦ信号の周波数帯域における周波数成分を減衰させる。
【００６７】
ＩＦ増幅器６６は、音声トラップ６５を通過したビデオ信号を増幅して出力する。
ここで、従来のスプリット方式のアナログ復調回路は、半導体集積回路内に抵抗およびコンデンサを１個ずつ含む簡易な構成のフィルタが用いられていた。このため、ビデオスイープバズと呼ばれる、音声信号用の回路に混入する映像信号成分を十分に除去することができなかった。しかしながら、図６に示すアナログ復調回路３０では、音声フィルタ６７を含む構成により、音声信号用の回路に混入する映像信号成分を十分に除去することができる。
【００６８】
図７は、インターキャリヤー方式のアナログ復調回路３０の構成を示す図である。
図７を参照して、アナログ復調回路３０は、半導体集積回路ＩＣ２と、音声トラップ６５と、音声フィルタ６７と、ハイパスフィルタ７２とを含む。半導体集積回路ＩＣ２は、ＩＦ増幅器６１と、検波回路６３と、ＶＣＯ６４と、ビデオアンプ６６と、ＩＦ増幅器６８とを含む。ハイパスフィルタ７２は、コンデンサＣ２１およびＣ２２と、コイルＬ２１とを含む。
【００６９】
ＩＦ増幅器６１は、アナログＳＡＷフィルタ３２を通過したＩＦ信号を増幅して検波回路６３へ出力する。
【００７０】
検波回路６３は、ＶＣＯ６４から受けた局部発振信号に基づいて、ＩＦ増幅器６１から受けたＩＦ信号からビデオ信号を検波し、検波したビデオ信号を出力する。
【００７１】
音声トラップ６５は、検波回路６３から受けたビデオ信号のうち、音声ＩＦ信号の周波数帯域における周波数成分を減衰させる。
【００７２】
ＩＦ増幅器６６は、音声トラップ６５を通過したビデオ信号を増幅して出力する。
ハイパスフィルタ７２は、検波回路６３から受けたビデオ信号のうち、音声ＩＦ信号の周波数より大きい周波数成分を減衰させる。
【００７３】
音声フィルタ６７は、ハイパスフィルタ７２を通過した信号のうち、音声ＩＦ信号の周波数帯域外の周波数成分を減衰させる。
【００７４】
ＩＦ増幅器６８は、音声フィルタ６７を通過した信号を増幅し、増幅した信号を音声ＩＦ信号として図示しないデジタル音声多重復調器へ出力する。
【００７５】
ここで、従来のスプリット方式のアナログ復調回路は、半導体集積回路内に図７の点線で示す、抵抗およびコンデンサを１個ずつ含む簡易な構成のハイパスフィルタ７１が用いられていた。このため、音声信号用の回路に混入する広帯域の映像信号成分を十分に除去することができなかった。しかしながら、図７に示すアナログ復調回路３０では、ハイパスフィルタ７２および音声フィルタ６７を含む構成により、音声信号用の回路に混入する広帯域の映像信号成分を十分に除去することができる。
【００７６】
ところで、従来のチューナでは、アナログ放送信号を受信する場合およびデジタル放送信号を受信する場合においてＡＧＣ信号を切り替える回路を備える必要があった。しかしながら、本発明の実施の形態に係るチューナでは、ＡＭ検波回路２７は、ＭＯＰ集積回路２６において周波数変換されたＩＦ信号のレベルを検出し、検出結果と、ＰＬＬ制御回路５２から受けたアナログ／デジタル切り替え信号ＡＤとに基づいてＡＧＣ信号を出力する。そして、高周波増幅回路１０〜１２は、ＡＭ検波回路２７から受けたＡＧＣ信号に基づいて、入力信号分波回路４から受けたＵＨＦ信号、ＶＨＦハイ信号およびＶＨＦロー信号をそれぞれ増幅する。このような構成により、チューナ１００が受信する放送信号の種類に応じて、高周波増幅回路１０〜１２へ出力するＡＧＣ信号を切り替える回路を備える必要がなくなり、チューナの構成の簡易化を図ることができるとともに、チューナ１００が受信する放送信号の種類に応じて、アナログ放送用回路のＩＦ信号のレベル、およびデジタル放送用回路のＩＦ信号のレベルを適切に設定することができる。
【００７７】
また、本発明の実施の形態に係るチューナでは、ＩＦ信号切り替え回路３１は、アナログ／デジタル切り替え信号ＡＤに基づいて、中間周波増幅回路２２から受けたＩＦ信号をアナログ放送用復調回路３０へ出力するか、あるいはＩＦ信号出力端子２５へ出力するか否かを切り替える。電力切り替え回路３５は、アナログ／デジタル切り替え信号ＡＤに基づいて、アナログ放送用復調回路３０に電力を供給するか否かを切り替える。デフィート回路３４は、アナログ／デジタル切り替え信号ＡＤに基づいて、アナログ放送用復調回路３０を動作させるか否かを切り替える。このような構成により、チューナ１００がデジタル放送信号を受信する場合におけるアナログ放送用復調回路３０の誤動作およびノイズの発生等を防ぐことができ、デジタル放送信号の受信特性が劣化することを防ぐことができる。
【００７８】
今回開示された実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【図面の簡単な説明】
【００７９】
【図１】本発明の実施の形態に係るシングルコンバージョン方式のチューナの構成を示す機能ブロック図である。
【図２】電力切り替え回路３５の構成を示す回路図である。
【図３】ＩＦ信号切り替え回路３１の構成を示す回路図である。
【図４】デフィート回路３４の構成を示す回路図である。
【図５】デジタル放送用中間周波増幅回路２４の構成を示す回路図である。
【図６】スプリット方式のアナログ復調回路３０の構成を示す図である。
【図７】インターキャリヤー方式のアナログ復調回路３０の構成を示す図である。
【符号の説明】
【００８０】
１  入力端子（受信部）、２  ハイパスフィルタ（ＩＦフィルタ）、３  広帯域増幅回路、４  入力信号分波回路、７〜９  高周波増幅入力同調回路、１０〜１２  高周波増幅回路、１３〜１５  高周波増幅高周波増幅出力同調回路、１６〜１８  混合回路（第１のミキサ回路）、１９〜２１  局部発振回路（第１の局部発振回路）、２２  中間周波増幅回路、２３  デジタルＳＡＷフィルタ、２４  デジタル放送用中間周波増幅回路（第３のＩＦ増幅回路）、２５  ＩＦ信号出力端子（第１の外部端子）、２６  ＭＯＰ集積回路、２７  ＡＭ検波回路、２８  ＩＦＡＧＣ端子（第２の外部端子）、２９  ＡＧＣモニタ端子、３０  アナログ放送用復調回路、３１  ＩＦ信号切り替え回路、３２  アナログＳＡＷフィルタ、３３  ＡＶ出力端子、３４  デフィート回路、３５  電力切り替え回路、３７  減衰回路、３８  バイアス切り替え回路、３９  デジタル放送用復調回路、５２  ＰＬＬ制御回路、６１  ＩＦ増幅器（第１のＩＦ増幅回路）、６２  ＩＦ増幅器（第２のＩＦ増幅回路）、６３  検波回路、６４  ＶＣＯ（第２の局部発振回路）、６５  音声トラップ、６６  ビデオアンプ、６７  音声フィルタ、６８  ＩＦ増幅器、６９  ミキサ（第２のミキサ回路）、７１，７２  ハイパスフィルタ、１００  チューナ、Ｂ  電源供給端子、ＴＲ１〜ＴＲ５，ＴＲ１１〜ＴＲ１３  トランジスタ、Ｒ１〜Ｒ５，Ｒ１２〜Ｒ１４，Ｒ２１〜Ｒ３２  抵抗、Ｄ１，Ｄ２  ダイオード、ＣＤ１〜ＣＤ３，ＣＤ１１〜ＣＤ１６，ＣＥ１，ＣＥ１１〜ＣＥ１５，Ｃ２１，Ｃ２２  コンデンサ、Ｌ１〜Ｌ３，Ｌ２１  チョークコイル、Ｑ１〜Ｑ３  ＩＦ増幅器、ＩＣ１，ＩＣ２  半導体集積回路。
【図１】
2008147933.tif 000003
【図２】
2008147933.tif 000004
【図３】
2008147933.tif 000005
【図４】
2008147933.tif 000006
【図５】
2008147933.tif 000007
【図６】
2008147933.tif 000008
【図７】
2008147933.tif 000009